(57)【要約】【課題】  家具等の上から天井までの距離を容易に仕切ることができ、荷物等を綺麗に収納するための、可動式仕切りパネルを提供する。【解決手段】  枠組みを覆った２枚の被さり合ったパネルの１枚に、可動手段を設け、それにより他方のパネルが上昇する。その結果、容易に家具等の上から天井まで届き、仕切りの役目を果たし、複数枚使用することで収納箱となることを特徴とする。【選択図】図１
2009226186.tif 000002
【特許請求の範囲】
【請求項１】
枠組み（１）の中に枠組み（１１）が収納されており、枠組み（１）、（１１）、はパネル（１９）、（２２）で覆われており、枠組み（１）にはギアとネジ切りしてある支柱を備えており、支柱が枠組み（１１）のナット（１４）、（１５）を貫通しており、ギア（５）を回転させると、ギア（６）が回転し支柱（１０）が共に回転するため、枠組み（１１）が上昇することを特徴とする、可動式仕切りパネル。
【請求項２】
枠組み（１）の側板（２）の内側と側板（３）の内側にストッパー止め（２９）が設けてあり、枠組み（１１）の側板（１６）と側板（１７）の外側下部にストッパー（２８）が設けてあることを特徴とする請求項１記載の可動式仕切りパネル。
【発明の詳細な説明】
【技術分野】
【０００１】  本発明は、家具等の上から天井までの空間を仕切る被さり合ったパネルの一枚に可動能力を設けた可動式仕切りパネルに関するものである。
【背景技術】
【０００２】  家具等の上から天井まで簡単に届く仕切り板等は、あまり見当たらなく、あるとしたならば家具等の両端にそれを設置することにより、壁になり、荷物が落ちることなく収納出来ると考案した。  従来、家庭にはそれぞれ家具等を配置していると思われるが、その家具等から天井までの距離においては、それぞれの家具等によって異なる。故に、その空間をいかに利用するか苦慮していた。しかしながら、その空間を利用するために以下の様なことを行っていた。
耐震的なことを考慮して棒状の耐震性のある物を設置していた。家具等の上に荷物をそのまま収納していた。家具等の上に収納箱等を設置し、その中に荷物を収納していた。
建築物の内部の間仕切り施工において、床から天井までの高さを調節可能にした間仕切り部材という物はある。
【特許文献１】特開２０００−１９９２９５号公報
【発明の開示】
【発明が解決しようとする課題】
【０００３】  しかしながら前述した、耐震性のある棒状の物は、仕切り板や収納の役割を果たさないという問題があった。家具等の上に荷物を収納するが、それぞれの大きさが異なる為に家具等から落ちる可能性があり、そして綺麗に収納出来ないという問題があった。
家具等の上に収納箱等を設置するが、収納箱等の大きさが決まっており、自分の欲する空間に合わないという問題があった。
間仕切り部材を使用、設置するためには業者に頼らざるを得なく、一般家庭の主婦が使用、設置するためには、余程の努力が必要と思われる。
本発明は、以上のような問題点をなくす為になされたものである。
【問題を解決するための手段】
【０００４】  枠組みを覆った２枚の被さり合ったパネルの１枚に、可動手段を設け、それにより他方のパネルが上昇する。その結果、容易に家具等の上から天井まで届き、仕切り板の役目を果たし、尚且つ複数枚使用することで収納箱と成りえることを特徴とする。
本発明は、以上の構成よりなる可動式仕切りパネルである。
【発明の効果】
【０００５】  家具等の上から天井までの高さに調節出来る為に、容易に設置することができる。家具等の両端に設置することで壁の役割を果たし、荷物が家具等の端から落ちるという心配もなくなる。
【０００６】  大きさの納得のいかない収納箱を置くという必要がなくなる。
【０００７】  自分の必要とする位置に設置できる為、２枚使用することにより荷物に合った収納箱となりえる。側面には穴が設けてあり、そこにダボを差込、棚板等を載せることにより、より荷物に合った収納箱となりえる。パネル前面上部に着脱式のフックが入る穴が設けてあり、そこにフックをはめ込み、収納箱の形にした場合、フックを使用することでカーテン、ロールスクリーン、ブラインド、蛇腹状の覆いの出来る物等をつけることができ、それらで覆いをすることにより、埃など防ぐことができ且つ見栄えも良くなりえる。
【発明を実施するための最良の形態】
【０００８】  以下、本発明を実施するための最良の形態について説明する。枠組み（１）の中に枠組み（１１）を設ける。枠組み（１）には、枠組み（１）の側板（２）を貫通しているシャフトの一端にあるギア（５）とネジ切りしてある支柱（１０）の一端にギア（６）を設ける。枠組み（１１）の底板（１２）と中板（１３）には、支柱の接する部分に貫通する穴を設け、その中にナット（１４）、（１５）が設けてある。支柱（１０）は、ナット（１４）、（１５）を貫通している。ギア（５）のシャフトの一端に着脱式のハンドルを設ける。ギア（５）の押さえ（７）とギア（６）の押さえ（８）を設ける。枠組み（１）の側板（２）と側板（３）の内側にストッパー止めを設ける。枠組み（１１）の側板（１６）と側板（１７）の外側の下部にストッパーを設ける。枠組み（１１）の側板（１６）の上部に着脱式のフック（１８）を設ける。枠組み（１）を覆うパネル（１９）と枠組み（１１）を覆うパネル（２２）を設ける。パネル（１９）の正面下部に着脱式ハンドルを入れる穴（２１）を設ける。パネル（２２）の正面上部に着脱式フックを入れる穴（２７）を設ける。パネル（１９）、（２２）の両側面に、ダボを差し込む穴（２６）を設ける。パネル（１９）のパネル（１９）の下部面（２０）に接地面を傷つけないクッション材（３１）をパネル（２２）の上部面（２４）に（３０）を設ける。
本発明は、以上の構成からなる。
これを使用するときは、着脱式ハンドル（４）をパネル（１９）の（２１）に差し込み回転させると、ギア（５）が回転し、ネジ切りしてある支柱（１０）の一端のギア（６）が回転し支柱も回転する。枠組み（１１）の底板（１２）、中板（１３）に設けてあるナット（１４）、（１５）を通じて枠組み（１１）を覆うパネル（２２）が上昇する。これにより、家具等の上から天井まで届くのである。天井まで上昇し、ストッパーが効く位置までハンドルを回すとロックされ、より強く接地されるのである。ギアの押さえ（７）、（８）を設けてあるので、ギア（５）、（６）がぶれる心配がない。ギア（５）とギア（６）には少しの隙間があり、使用時にはハンドルを軽く押し入れて回転させ、ハンドルを抜く時には、少し引いてはずすとまた隙間ができ、その結果枠組み（１１）が下降する心配がない。また、支柱（１０）が枠組み（１）に接する部分には穴（９）を設け、支柱のぶれを防止する。
この可動式仕切りパネルを、荷物と荷物の間に入れれば仕切り板に、また２枚使用しダボ穴にダボを差し込み、その上に棚板等を載せれば、スペースに合った収納箱となりえる。
【図面の簡単な説明】
【０００９】
【図１】本発明の枠組みの全体図であり正面図である。
【図２】〔図１〕の可動した状態の正面図である。
【図３】本発明の枠組み（１）の正面図である。
【図４】本発明の枠組み（１１）の斜視図である。
【図５】本発明の枠組みを覆うパネルの全体図であり斜視図である。
【図６】〔図５〕の背面の斜視図である。
【図７】〔図５〕の可動した状態の斜視図である。
【図８】〔図５〕の可動した状態の背面の斜視図である。
【図９】本発明のストッパー（２８）の拡大図である。
【図１０】本発明のストッパー止め（２９）の拡大図である。
【図１１】〔図５〕の側面図である。
【図１２】〔図５〕の可動した状態の側面図である。
【図１３】本発明の支柱（１０）が枠組み（１）と接する部分の穴の拡大図である。
【図１４】本発明の埋め込まれているナット（１４）、（１５）の拡大図である。
【図１５】本発明のパネルの上部面（２４）に設けたクッション材の拡大図である。
【図１６】本発明のパネルの下部面（２０）に設けたクッション材の拡大図である。
【符号の説明】
【００１０】（１）可動式仕切りパネル本体
１  枠組み
２・３  １の枠組みの側板
４  着脱式ハンドル
５  ギア
６  ギア
７  ５のギアの押さえ
８  ６のギアの押さえ
９  支柱が入る穴
１０  支柱
１１  枠組み
１２  １１の枠組みの底板
１３  １１の枠組みの中板
１４・１５  ナット
１６・１７  １１の枠組みの側板
１８  着脱式フック
１９  １の枠組みを覆うパネル
２０  １９のパネルの底部面
２１  着脱式ハンドルを入れる穴
２２  １１の枠組みを覆うパネル
２３・２５  ２２のパネルの側面
２４  ２２のパネルの上部面
２６  ダボを入れる穴
２７  着脱式フックを入れる穴
２８  ストッパー
２９  ストッパー止め
【図１】
2009226186.tif 000003
【図２】
2009226186.tif 000004
【図３】
2009226186.tif 000005
【図４】
2009226186.tif 000006
【図５】
2009226186.tif 000007
【図６】
2009226186.tif 000008
【図７】
2009226186.tif 000009
【図８】
2009226186.tif 000010
【図９】
2009226186.tif 000011
【図１０】
2009226186.tif 000012
【図１１】
2009226186.tif 000013
【図１２】
2009226186.tif 000014
【図１３】
2009226186.tif 000015
【図１４】
2009226186.tif 000016
【図１５】
2009226186.tif 000017
【図１６】
2009226186.tif 000018